(57)【要約】  吸収性本体部（１０）と、吸収性本体部（１０）から幅方向の両外側に延出した一対のフラップ部（２０）とを有する吸収性物品（１）であり、吸収性物品（１）を折り畳むための複数の折り線のうち長手方向の前側から１番目と２番目の折り線の間の領域の少なくとも一部は、下着のクロッチに装着され、フラップ部（２０）は、下着の非肌側面に接着される接着剤を有さず、かつ、長手方向における前方部及び後方部の変形が相互に伝達されることを抑止する抑止部（２３）を有し、抑止部（２３）は、１番目と２番目の折り線の間の領域に配置されていること。
2019026176.tif 000002
【特許請求の範囲】
【請求項１】
長手方向及び幅方向を有し、吸収性本体部と、前記吸収性本体部から前記幅方向の両外側に延出した一対のフラップ部とを有する吸収性物品であって、
前記吸収性物品を折り畳むための複数の折り線のうち前記長手方向の前側から１番目と２番目の折り線の間の領域の少なくとも一部は、下着のクロッチに装着され、
前記フラップ部は、
前記下着の非肌側面に接着される接着剤を有さず、かつ、
前記長手方向における前方部及び後方部の変形が相互に伝達されることを抑止する抑止部を有し、
前記抑止部は、前記１番目と前記２番目の前記折り線の間の領域に配置されていること、を特徴とする吸収性物品。
【請求項２】
請求項１に記載の吸収性物品であって、
前記フラップ部は、前記幅方向の外側に突出した第１凸部と、前記第１凸部よりも前記長手方向の後側において、前記幅方向の外側に突出した第２凸部とを有し、
前記抑止部は、前記長手方向における前記第１凸部及び前記第２凸部の間において、前記幅方向の内側にへこんだ凹部であること、を特徴とする吸収性物品。
【請求項３】
請求項２に記載の吸収性物品であって、
前記第１凸部及び前記第２凸部の一方が他方よりも前記幅方向の外側に突出していること、を特徴とする吸収性物品。
【請求項４】
請求項３に記載の吸収性物品であって、
前記第２凸部の方が前記第１凸部よりも前記幅方向の外側に突出していること、を特徴とする吸収性物品。
【請求項５】
請求項４に記載の吸収性物品であって、
前記第１凸部の頂点から前記凹部の頂点までの前記長手方向の長さよりも、前記凹部の頂点から前記第２凸部の頂点までの前記長手方向の長さの方が長いこと、を特徴とする吸収性物品。
【請求項６】
請求項２から請求項５の何れか１項に記載の吸収性物品であって、
前記１番目の前記折り線と前記吸収性物品の前記幅方向の側縁との交点を通るとともに、前記長手方向に沿う第１仮想線を有し、かつ、
前記交点と前記凹部の頂点とを繋ぐ第２仮想線を有し、
前記第１仮想線と前記第２仮想線との成す角度が７度以上４５度以下であること、を特徴とする吸収性物品。
【請求項７】
請求項２から請求項６の何れか１項に記載の吸収性物品であって、
前記１番目の前記折り線と前記吸収性物品の前記幅方向の側縁との交点を通るとともに、前記長手方向に沿う第１仮想線を有し、かつ、
前記凹部の頂点を通るとともに、前記幅方向に沿う第３仮想線を有し、
前記第２凸部の前記長手方向の前側の端点における前記第２凸部に対する接線が、前記第１仮想線と、前記第３仮想線と、前記吸収性物品の前記側縁とで囲われる領域を通過すること、を特徴とする吸収性物品。
【請求項８】
請求項２から請求項７の何れか１項に記載の吸収性物品であって、
前記１番目の前記折り線と前記吸収性物品の前記幅方向の側縁との交点と、前記凹部の頂点とを繋ぐ第２仮想線を有し、
前記第２凸部の前記長手方向の前側の端点における前記第２凸部に対する接線が、前記第２仮想線と、前記吸収性物品の前記側縁とで囲われる領域を通過しないこと、を特徴とする吸収性物品。
【請求項９】
請求項２から請求項８の何れか１項に記載の吸収性物品であって、
前記１番目の前記折り線よりも前記長手方向の前側の前記吸収性物品の部位において最も幅が広い幅広部よりも、前記凹部の頂点の方が、前記幅方向の外側に位置していること、を特徴とする吸収性物品。
【請求項１０】
請求項２から請求項９の何れか１項に記載の吸収性物品であって、
前記フラップ部は、吸収性コアを有し、
前記抑止部において、前記吸収性コアが前記幅方向の内側にへこんでいること、を特徴とする吸収性物品。
【請求項１１】
請求項１から請求項１０の何れか１項に記載の吸収性物品であって、
前記第１凸部よりも前記長手方向の前側に、前記幅方向の内側にへこんだ第２凹部を有すること、を特徴とする吸収性物品。
【請求項１２】
請求項１から請求項１１の何れか１項に記載の吸収性物品であって、
前記長手方向における前記１番目と前記２番目の前記折り線の中心に対して前後３０ｍｍ以内の範囲に、前記抑止部が配置されていること、を特徴とする吸収性物品。
【請求項１３】
請求項１から請求項１２の何れか１項に記載の吸収性物品であって、
前記フラップ部は、前記抑止部よりも前記長手方向の後側において、前記下着の肌側面に接着される別の接着剤を有すること、を特徴とする吸収性物品。
【請求項１４】
請求項１から請求項１３の何れか１項に記載の吸収性物品であって、
前記フラップ部の非肌側面は、前記吸収性本体部の非肌側面よりも摩擦係数が高い領域を有すること、を特徴とする吸収性物品。
【発明の詳細な説明】
【技術分野】
【０００１】
本発明は、吸収性物品に関する。
【背景技術】
【０００２】
吸収性物品として、経血等の排泄液を吸収する生理用ナプキンが知られている。特許文献１には、吸収性部材、及び、吸収性部材から両外方に延出する２つのフラップ部を備えるナプキンが開示されている。
【先行技術文献】
【特許文献】
【０００３】
【特許文献１】特開昭６０−１９９４４６号公報
【発明の概要】
【発明が解決しようとする課題】
【０００４】
フラップ部の前方部において下着から延出する部位は、着用者の太腿に挟まれるため、太腿に沿って略直角に折れ曲がる。一方、フラップ部の後方部において下着から延出する部位は、着用者の臀部と太腿の境界部分に沿って緩やかに折れ曲がる。つまり、フラップ部の前方部及び後方部はねじれて装着される。そのため、特許文献１のように幅方向の外側に凸である略円弧形状のフラップ部の場合、フラップ部の前方部と後方部の変形が相互に影響し、フラップ部のねじれ部分において隙間が生じやすく、排泄液が漏れるという問題が生じていた。【０００５】
本発明は、上記のような問題に鑑みてなされたものであって、排泄液の漏れを抑制するフラップ部を有する吸収性物品を提供することを目的とする。
【課題を解決するための手段】
【０００６】
上記目的を達成するための主たる発明は、長手方向及び幅方向を有し、吸収性本体部と、前記吸収性本体部から前記幅方向の両外側に延出した一対のフラップ部とを有する吸収性物品であって、前記吸収性物品を折り畳むための複数の折り線のうち前記長手方向の前側から１番目と２番目の折り線の間の領域の少なくとも一部は、下着のクロッチに装着され、前記フラップ部は、前記下着の非肌側面に接着される接着剤を有さず、かつ、前記長手方向における前方部及び後方部の変形が相互に伝達されることを抑止する抑止部を有し、前記抑止部は、前記１番目と前記２番目の前記折り線の間の領域に配置されていること、を特徴とする吸収性物品である。
本発明の他の特徴については、本明細書及び添付図面の記載により明らかにする。
【発明の効果】
【０００７】
本発明によれば、排泄液の漏れを抑制するフラップ部を有する吸収性物品を提供することができる。
【図面の簡単な説明】
【０００８】
【図１】ナプキン１の肌側平面図である。
【図２】ナプキン１の非肌側平面図である。
【図３】第２折り線Ｆ２でのナプキン１の概略断面図である。
【図４】着用者の背側から見た着用状態のナプキン１を示す図である。
【図５】着用状態のナプキン１の概略斜視図である。
【図６】フラップ部２０の形状を説明する図である。
【図７】フラップ部２０の凹部２３のへこみ具合を説明する図である。
【図８】フラップ部２０の凹部２３のへこみ具合を説明する図である。
【図９】フラップ部２０の凹部２３のへこみ具合を説明する図である。
【図１０】フラップ後方部から前方部への力の働きを説明する図である。
【図１１】図１１Ａから図１１Ｃは第２実施形態のナプキンの説明図である。
【発明を実施するための形態】
【０００９】
本明細書及び添付図面の記載により、少なくとも以下の事項が明らかとなる。  
長手方向及び幅方向を有し、吸収性本体部と、前記吸収性本体部から前記幅方向の両外側に延出した一対のフラップ部とを有する吸収性物品であって、前記吸収性物品を折り畳むための複数の折り線のうち前記長手方向の前側から１番目と２番目の折り線の間の領域の少なくとも一部は、下着のクロッチに装着され、前記フラップ部は、前記下着の非肌側面に接着される接着剤を有さず、かつ、前記長手方向における前方部及び後方部の変形が相互に伝達されることを抑止する抑止部を有し、前記抑止部は、前記１番目と前記２番目の前記折り線の間の領域に配置されていること、を特徴とする吸収性物品である。
【００１０】
このような吸収性物品によれば、下着から延出するフラップ部を着用者の脚に沿わせることができる。また、着用者の太腿に挟まれるフラップ部の前方部の変形と、着用者の臀部に沿うフラップ部の後方部の変形とが、抑止部で断ち切られる。よって、フラップ部の変形が切り替わる位置での隙間の発生を抑えられ、排泄液の漏れを抑制できる。
【００１１】
かかる吸収性物品であって、前記フラップ部は、前記幅方向の外側に突出した第１凸部と、前記第１凸部よりも前記長手方向の後側において、前記幅方向の外側に突出した第２凸部とを有し、前記抑止部は、前記長手方向における前記第１凸部及び前記第２凸部の間において、前記幅方向の内側にへこんだ凹部であること、を特徴とする吸収性物品である。
【００１２】
このような吸収性物品によれば、フラップ部の前方部の変形と後方部の変形とが凹部で断ち切られる。
【００１３】
かかる吸収性物品であって、前記第１凸部及び前記第２凸部の一方が他方よりも前記幅方向の外側に突出していること、を特徴とする吸収性物品である。
【００１４】
このような吸収性物品によれば、長手方向の一方側に排泄液が拡散しやすい場合にも、幅方向の外側により突出した凸部によって排泄液の漏れを抑制できる。
【００１５】
かかる吸収性物品であって、前記第２凸部の方が前記第１凸部よりも前記幅方向の外側に突出していること、を特徴とする吸収性物品である。
【００１６】
このような吸収性物品によれば、着用者の臀部側に排泄液が拡散しやすい場合にも、第２凸部によって排泄液の漏れを抑制できる。一方、第１凸部が下着から延出し過ぎることがなく、着け心地の低下を抑制できる。
【００１７】
かかる吸収性物品であって、前記第１凸部の頂点から前記凹部の頂点までの前記長手方向の長さよりも、前記凹部の頂点から前記第２凸部の頂点までの前記長手方向の長さの方が長いこと、を特徴とする吸収性物品である。
【００１８】
このような吸収性物品によれば、着用者の臀部側にフラップ部が延びるため、臀部側に排泄液が拡散しやすい場合にも、排泄液の漏れを抑制できる。
【００１９】
かかる吸収性物品であって、前記１番目の前記折り線と前記吸収性物品の前記幅方向の側縁との交点を通るとともに、前記長手方向に沿う第１仮想線を有し、かつ、前記交点と前記凹部の頂点とを繋ぐ第２仮想線を有し、前記第１仮想線と前記第２仮想線との成す角度が７度以上４５度以下であること、を特徴とする吸収性物品である。
【００２０】
このような吸収性物品によれば、下着から延出するフラップ部の幅を適当な長さにしつつ、フラップ部の変形が切り替わる位置に凹部（抑止部）を配置できる。
【００２１】
かかる吸収性物品であって、前記１番目の前記折り線と前記吸収性物品の前記幅方向の側縁との交点を通るとともに、前記長手方向に沿う第１仮想線を有し、かつ、前記凹部の頂点を通るとともに、前記幅方向に沿う第３仮想線を有し、前記第２凸部の前記長手方向の前側の端点における前記第２凸部に対する接線が、前記第１仮想線と、前記第３仮想線と、前記吸収性物品の前記側縁とで囲われる領域を通過すること、を特徴とする吸収性物品である。
【００２２】
このような吸収性物品によれば、臀部に沿って引き上げられるフラップ部の後方部の力を、フラップ部の前方部に伝達できる。よって、フラップ部の前方部が下着の非肌側面へ折れ返ってしまうことを抑制できる。
【００２３】
かかる吸収性物品であって、前記１番目の前記折り線と前記吸収性物品の前記幅方向の側縁との交点と、前記凹部の頂点とを繋ぐ第２仮想線を有し、前記第２凸部の前記長手方向の前側の端点における前記第２凸部に対する接線が、前記第２仮想線と、前記吸収性物品の前記側縁とで囲われる領域を通過しないこと、を特徴とする吸収性物品である。
【００２４】
このような吸収性物品によれば、臀部に沿って引き上げられるフラップ部の後方部の力が、下着から延出するフラップ部の前方部の先端部に過度に伝達されて先端部がよれてしまうことを抑制できる。
【００２５】
かかる吸収性物品であって、前記１番目の前記折り線よりも前記長手方向の前側の前記吸収性物品の部位において最も幅が広い幅広部よりも、前記凹部の頂点の方が、前記幅方向の外側に位置していること、を特徴とする吸収性物品である。
【００２６】
このような吸収性物品によれば、フラップ部の凹部が下着から延出し、下着の側端をフラップ部で覆うことができる。
【００２７】
かかる吸収性物品であって、前記フラップ部は、吸収性コアを有し、前記抑止部において、前記吸収性コアが前記幅方向の内側にへこんでいること、を特徴とする吸収性物品である。
【００２８】
このような吸収性物品によれば、フラップ部まで拡散した排泄液を吸収性コアで吸収できる。
【００２９】
かかる吸収性物品であって、前記第１凸部よりも前記長手方向の前側に、前記幅方向の内側にへこんだ第２凹部を有すること、を特徴とする吸収性物品である。
【００３０】
このような吸収性物品によれば、下着のクロッチにフラップ部が装着されやすく、フラップ部の変形が切り替わる位置に抑止部が配置される。
【００３１】
かかる吸収性物品であって、前記長手方向における前記１番目と前記２番目の前記折り線の中心に対して前後３０ｍｍ以内の範囲に、前記抑止部が配置されていること、を特徴とする吸収性物品である。
【００３２】
このような吸収性物品によれば、フラップ部の変形が切り替わる位置に抑止部が配置される。
【００３３】
かかる吸収性物品であって、前記フラップ部は、前記抑止部よりも前記長手方向の後側において、前記下着の肌側面に接着される別の接着剤を有すること、を特徴とする吸収性物品である。
【００３４】
このような吸収性物品によれば、下着に対するフラップ部の位置がずれにくく、フラップ部の変形が切り替わる位置に抑止部が配置された状態が維持される。
【００３５】
かかる吸収性物品であって、前記フラップ部の非肌側面は、前記吸収性本体部の非肌側面よりも摩擦係数が高い領域を有すること、を特徴とする吸収性物品である。
【００３６】
このような吸収性物品によれば、下着に対するフラップ部の位置がずれにくく、フラップ部の変形が切り替わる位置に抑止部が配置された状態が維持される。
【００３７】
以下、本発明に係る吸収性物品の一例として生理用ナプキンを例に挙げて実施形態を説明する。ただし、本発明に係る吸収性物品は生理用品として利用されるに限らず、例えば軽失禁用パッドやおりものシート等としても利用可能である。
【００３８】
＝＝＝第１実施形態＝＝＝
＜＜生理用ナプキン１の構成＞＞
図１は、生理用ナプキン１（以下、ナプキン）の肌側平面図である。図２は、ナプキン１の非肌側平面図である。図２には下着Ｓの外形線を示し、下着Ｓに対するナプキン１の装着位置を示す。図３は、図１の第２折り線Ｆ２でのナプキン１の概略断面図である。
【００３９】
ナプキン１は、互いに直交する長手方向、幅方向、及び、厚さ方向を有する。長手方向は、ナプキン１の使用時に着用者の腹側となる「前側」と、着用者の背側となる「後側」とを有する。厚さ方向は、ナプキン１の使用時に着用者の肌と当接する「肌側」と、その反対側の「非肌側」とを有する。
【００４０】
また、ナプキン１は、吸収性本体部１０と、吸収性本体部１０から幅方向の両外側に延出した一対のフラップ部２０とを有する。吸収性本体部１０とフラップ部２０は図１に示す境界部１Ａで区画される。吸収性本体部１０は、長手方向の中央部が幅方向の内側にくびれた略砂時計形状を成す。フラップ部２０の形状は後述する。
【００４１】
ナプキン１は、幅方向に沿って延びる複数の折り線Ｆ１〜Ｆ３で折り畳まれた状態で、個別又は複数個ごとに包装される。図１のナプキン１は、長手方向の前側から１番目の第１折り線Ｆ１と、２番目の第２折り線Ｆ２と、３番目の第３折り線Ｆ３とを有する。なお、ナプキン１は４つ折りされるに限らず、例えば３つ折りされてもよい。その場合、ナプキン１は、図１に示す第１折り線Ｆ１、及び、括弧で示す第２折り線（Ｆ２）の位置で折り畳まれる。
【００４２】
また、ナプキン１は、図３に示すように、吸収性コア２と、吸収性コア２よりも厚さ方向の肌側に配置された液透過性のトップシート３と、吸収性コア２よりも厚さ方向の非肌側に配置された液不透過性のバックシート４とを有する。
【００４３】
吸収性コア２は、経血等の排泄液を吸収保持する部材であり、高吸収性ポリマー（ＳＡＰ）を含むパルプ等の液体吸収性繊維が所定の形状に成形されたものを例示できる。吸収性本体部１０の吸収性コア２Ａは、吸収性本体部１０とほぼ同一の平面形状をなす。フラップ部２０の吸収性コア２Ｂも、フラップ部２０とほぼ同一の平面形状をなす。吸収性本体部１０とフラップ部２０の境界部１Ａにおいて、吸収性コア２は非存在とする。
【００４４】
ただし上記に限らず、ナプキン１の平面全域に亘り吸収性コア２が存在してもよい。その場合、ナプキン１の幅方向の側縁１ａと第１折り線Ｆ１との交点から長手方向に沿って後側に延びる仮想線（参照：後述の図７のＬａ）を、吸収性本体部１０とフラップ部２０の幅方向の境界線とする。また、フラップ部２０において吸収性コア２が非存在であってもよい。
【００４５】
トップシート３及びバックシート４は、その平面形状が同形状であり、ナプキン１の外形形状を構成する。つまり、吸収性本体部１０及びフラップ部２０は、図３に示すように連続するトップシート３及びバックシート４で形成されている。なお、図示しないが、トップシートの幅方向の側縁部から幅方向の外側へ延出したサイドシート（例えば疎水性又は撥水性を有するシート）、及び、バックシート４によって、フラップ部２０が形成されていてもよい。
【００４６】
トップシート３としては、エアスルー不織布等の柔軟なシートを例示できる。バックシート４としては、ポリエチレン（ＰＥ）等の樹脂フィルムを例示できる。トップシート３及びバックシート４は非延伸性のシートであり、フラップ部２０は非延伸性とする。また、フラップ部２０は平坦であり、フラップ部２０の一部と別の一部とが厚さ方向に重なっていない。具体的には、フラップ部２０は折り畳まれていない。また、長手方向におけるフラップ部２０の前方部と後方部が別部材から構成されて一部が重なることはなく、フラップ部２０の前方部と後方部は連続する一体物である。
【００４７】
また、ナプキン１の非肌側面には、図２に示すように、下着Ｓの肌側面（着用者の肌と当接する内側面）に接着される内側接着剤５（別の接着剤）が設けられている。内側接着剤５によりナプキン１は下着Ｓに固定される。
【００４８】
＜＜フラップ部２０の構成＞＞
図４は、着用者の背側から見た着用状態のナプキン１を示す図である。図５は、着用状態のナプキン１の概略斜視図である。図６は、フラップ部２０の形状を説明する図である。
【００４９】
フラップ部２０は、幅方向の外側に突出した第１凸部２１と、第１凸部２１よりも長手方向の後側において、幅方向の外側に突出した第２凸部２２と、長手方向における第１凸部２１及び第２凸部２２の間において、幅方向の内側にへこんだ凹部２３とを有する。
【００５０】
詳しくは、図６に示すように、第１凸部２１は、フラップ部２０の幅方向の側縁２０ａが幅方向の外側に凸である円弧で形成された部位である。第２凸部２２は、フラップ部２０の側縁２０ａが幅方向の外側に凸である円弧で形成された部位である。凹部２３は、フラップ部２０の側縁２０ａが幅方向の内側に凸である円弧で形成された部位である。
【００５１】
第１凸部２１において幅方向の外側に最も突出した点を第１凸部２１の頂点２１ｃという。第２凸部２２において幅方向の外側に最も突出した点を第２凸部２２の頂点２２ｃという。凹部２３において幅方向の内側に最もへこんだ点を凹部２３の頂点２３ｃという。
【００５２】
また、第１凸部２１の頂点２１ｃの幅方向の位置と、凹部２３の頂点２３ｃの幅方向の位置との中心において、長手方向に沿う中心線を第１中心線ＣＬ１とする。この第１中心線ＣＬ１よりも幅方向の外側の部位を第１凸部２１（円弧２１ａ〜２１ｂ）とする。
【００５３】
同様に、第２凸部２２の頂点２２ｃの幅方向の位置と、凹部２３の頂点２３ｃの幅方向の位置との中心において、長手方向に沿う中心線を第２中心線ＣＬ２とする。この第２中心線ＣＬ２よりも幅方向の外側の部位を第２凸部２２（円弧２２ａ〜２２ｂ）とする。
【００５４】
そして、第１凸部２１の長手方向後側の端２１ｂと、第２凸部２２の長手方向前側の端２２ａとの間の部位を、凹部２３（円弧２３ａ〜２３ｂ）とする。
【００５５】
なお、第１凸部２１、第２凸部２２、凹部２３は、それらの側縁が円弧形状であるものに限定されず、例えば、略台形形状、略長方形形状、楕円弧形状等の任意の形状であってよい。第１凸部２１等が略台形形状等である場合、幅方向の外側に最も突出した部位や、幅方向の内側に最もへこんだ部位は長手方向に長さを有する。その場合、その長さの中心点を、第１凸部２１の頂点２１ｃ、第２凸部２２の頂点２２ｃ、凹部２３の頂点２３ｃとする。
【００５６】
また、本実施形態のナプキン１では、図１に示すように、長手方向において、第１折り線Ｆ１の位置をフラップ部２０の前端とし、フラップ部２０のコア２Ｂの後端２Ｂ１の位置をフラップ部２０の後端とする。そして、フラップ部２０において、凹部２３の頂点２３ｃよりも長手方向の前側の部位をフラップ前方部２０１といい、後側の部位をフラップ後方部２０２という。
【００５７】
また、一対のフラップ部２０間の幅は着用者の股間幅より広く、フラップ部２０は着用者の鼠蹊部の外側に延出するものとする。よって、図２に示すように、フラップ部２０は、その一部が下着Ｓのクロッチから幅方向の外側に延出する。
【００５８】
そして、フラップ部２０は、下着Ｓの非肌側面（着用者の肌と当接しない外側面）に接着される接着剤を有さないものとする。そのため、フラップ部２０は、下着Ｓの非肌側面に折り返されて接着されることなく、図４に示すように着用者の脚に沿って下方に延びるように装着される。
【００５９】
そのため、ナプキン１の使用中に、下着Ｓの側端が着用者の鼠蹊部から離れてしまっても、フラップ部２０が着用者の脚に沿っているため、着用者とナプキン１との間に隙間が生じにくく、横流れした排泄液が漏れにくい。また、フラップ部２０が着用者の脚に沿い、着用者との接触面積が増えることで、漏れにくいという安心感を着用者に付与できる。また、フラップ部２０が下着Ｓの非肌側面に接着されないので、フラップ部２０まで拡散した排泄液で下着Ｓが汚れてしまうことを防止できる。
【００６０】
また、図４や図５に示すように、フラップ前方部２０１において下着Ｓから延出する部位は着用者の太腿に挟まれるため、太腿に沿って略直角に折れ曲がる（矢印Ｂ１）。一方、フラップ後方部２０２において下着Ｓから延出する部位は、着用者の臀部と太腿の境界部分に沿って緩やかに折れ曲がる（矢印Ｂ２）。つまり、フラップ前方部２０１及びフラップ後方部２０２はねじれて装着される。
【００６１】
ただし、本実施形態のフラップ部２０は、フラップ前方部２０１及びフラップ後方部２０２の変形が相互に伝達されることを抑止する凹部２３（抑止部）を有する。フラップ前方部２０１の変形とフラップ後方部２０２の変形は凹部２３で断ち切られるため、フラップ前方部２０１及びフラップ後方部２０２が独立して変形しやすい。よって、フラップ部２０の曲がり方向が切り替わる位置でフラップ部２０がよれて隙間が生じてしまうことを防止でき、排泄液の漏れを抑制できる。
【００６２】
標準体型（ＢＭＩが２２前後）の女性の場合、おおよそ排泄口（膣口）から排泄口よりも臀部側に２０ｍｍずれた位置までの範囲において、フラップ部２０の曲がり方向が切り替わる。そのため、排泄口当接領域（排泄口当接位置及びその周辺）に、凹部２３を配置するとよい。
【００６３】
本実施形態のナプキン１では、図１に示すように、ナプキン１を折り畳むための第１折り線Ｆ１と第２折り線Ｆ２の間の領域Ａ１に凹部２３が配置されており、領域Ａ１にフラップ部２０が位置する。なお、凹部２３の少なくとも一部が領域Ａ１に配置されていればよい。
【００６４】
通常、着用者はフラップ部２０を下着Ｓのクロッチに合わせてナプキン１を装着する。そのため、図２に示すように、第１折り線Ｆ１と第２折り線Ｆ２の間の領域Ａ１の少なくとも一部が、下着Ｓのクロッチに装着される。つまり、第１折り線Ｆ１と第２折り線Ｆ２の間の領域Ａ１が着用者の股下部に当接する領域、すなわち、排泄口当接領域となる。よって、排泄口当接領域に凹部２３が配置され、フラップ部２０の曲がり方向が切り替わる位置に凹部２３が配置される。
【００６５】
また、第１折り線Ｆ１と第２折り線Ｆ２の間の領域Ａ１が下着Ｓのクロッチに装着されるので、その領域Ａ１の長手方向の中心Ｃ（図１参照）に着用者の排泄口が当接しやすい。よって、より好ましくは、その中心Ｃに対して長手方向の前後３０ｍｍ以内の範囲に凹部２３（の少なくとも一部）を配置するとよい。そうすることで、フラップ部２０の曲がり方向が切り替わる位置に凹部２３が配置される。
【００６６】
また、図６に示すように、第１凸部２１よりも長手方向の前側に、幅方向の内側にへこんだ第２凹部１Ｃを設けるとよい。より好ましくは、長手方向における第１折り線Ｆ１の位置に第２凹部１Ｃを設けるとよい。本実施形態では、ナプキン１の側縁１ａが幅方向の内側に凸である円弧で形成された部位を第２凹部１Ｃとするが、第２凹部１Ｃの形状は円弧に限らない。
【００６７】
一般的なウィング（折り返されて下着Ｓの非肌側面に接着されるウィング）を有するナプキンを装着する際に、着用者は、下着Ｓの前身頃とクロッチの結合ラインに、ウィングの前側の根元を合わせることが多い。そのため、ナプキン１に第２凹部１Ｃを設けることで、第２凹部１Ｃが下着Ｓの結合ラインに合わされやすい。その結果、第２凹部１Ｃよりも長手方向後側のフラップ部２０が下着Ｓのクロッチに装着され、フラップ部２０の曲がり方向が切り替わる位置に凹部２３が配置される。
【００６８】
特に本実施形態のフラップ部２０は、一般的なナプキンのウィングに比べて長手方向に長い。そのため、第２凹部１Ｃをナプキン１に設けることで、下着Ｓに対する適切な位置にナプキン１が装着されやすくなる。
【００６９】
また、フラップ部２０は吸収性コア２Ｂを有し、凹部２３において、吸収性コア２Ｂも幅方向の内側にへこんでいること（図６の２Ｂ２参照）が好ましい。
【００７０】
そうすることで、フラップ部２０まで拡散した排泄液が吸収性コア２Ｂで吸収され、排泄液の漏れを抑制できる。その一方で、フラップ部２０が吸収性コア２Ｂを有すると、フラップ部２０の剛性が高まり、フラップ前方部２０１及びフラップ後方部２０２の変形が互いに影響しやすくなる。そのため、フラップ部２０及び吸収性コア２Ｂを幅方向の内側にへこませて、フラップ前方部２０１及びフラップ後方部２０２の変形を断ち切ることがより有効となる。
【００７１】
また、第１凸部２１及び第２凸部２２の一方が他方よりも幅方向の外側に突出しているとよい。本実施形態のナプキン１では、第２凸部２２の方が第１凸部２１よりも幅方向の外側に突出している。具体的には、図６に示すように、ナプキン１を幅方向に２等分する長手方向に沿う中心線ＣＬから第２凸部２２の頂点２２ｃまでの幅方向の長さＷ１が、中心線ＣＬから第１凸部２１の頂点２１ｃまでの幅方向の長さＷ２よりも長くなっている。
【００７２】
そうすることで、着用者が仰向けで横になる等して、臀部側に排泄液が拡散しやすい場合にも、幅広の第２凸部２２により排泄液の横漏れを抑制できる。また、図２に示すように、下着Ｓはクロッチから後身頃に向かって幅広となる。よって、フラップ部２０も下着Ｓの形状に合わせることで、フラップ後方部２０２も、フラップ前方部２０１と同様に下着Ｓから延出し、臀部側でも排泄液の横漏れを抑制できる。一方、第１凸部２１を幅狭にすることで、フラップ前方部２０１が下着Ｓから過度に延出することがなく、着け心地の低下を防止できる。
【００７３】
ただし、上記に限らない。第１凸部２１の方が第２凸部２２よりも幅方向の外側に突出していてもよい。その場合、着用者がうつ伏せで横になる等して腹側に拡散した排泄液の横漏れや、排泄口から横流れした排泄液の漏れを、幅広の第１凸部２１で抑制できる。また、第１凸部２１の頂点２１ｃと第２凸部２２の頂点２２ｃの幅方向の位置が揃っていてもよい。
【００７４】
また、図６に示すように、第１凸部２１の頂点２１ｃから凹部２３の頂点２３ｃまでの長手方向の長さＬ１よりも、凹部２３の頂点２３ｃから第２凸部２２の頂点２２ｃまでの長手方向の長さＬ２を長くするとよい。
【００７５】
そうして、第１凸部２１の長手方向の長さよりも第２凸部２２の長手方向の長さを長くし、また、フラップ前方部２０１の長手方向の長さよりもフラップ後方部２０２の長手方向の長さを長くするとよい。そうすることで、フラップ部２０が着用者の臀部側まで延び、臀部側でもフラップ部２０が下着Ｓから延出するため、臀部側に排泄液が拡散しやすい場合にも排泄液の横漏れを抑制できる。
【００７６】
また、着用者の臀部側でもフラップ部２０が下着Ｓから延出することで、下着Ｓの脚繰りのゴムとフラップ後方部２０２とが厚さ方向に重なる。そのため、着用者の臀部に対するナプキン１の密着性が高まる。
【００７７】
また、臀部側では下着Ｓの幅が広いので、フラップ後方部２０２の一部は延出し、一部は延出しない。このようにフラップ部２０の全てが下着Ｓから延出しないことで、フラップ部２０は、下着Ｓの非肌側面に折り返されにくくなり、図４に示すように着用者の脚に沿いやすくなる。
【００７８】
ただし、上記に限らない。第１凸部２１の頂点２１ｃから凹部２３の頂点２３ｃまでの長手方向の長さが、凹部２３の頂点２３ｃから第２凸部２２の頂点２２ｃまでの長さ以上であってもよい。また、フラップ部２０が長手方向において対称な形状であってもよい。
【００７９】
また、上記のように、フラップ後方部２０２の一部が下着Ｓから延出しない場合、図２に示すように、凹部２３よりも長手方向の後側のフラップ部２０に、下着Ｓの肌側面に接着される内側接着剤５，５Ａ（別の接着剤）を設けてもよい。
【００８０】
そうすることで、下着Ｓに対するフラップ部２０の位置がずれにくく、フラップ部２０の曲がり方向が切り替わる位置に凹部２３が配置された状態が維持される。その他、ナプキン１の装着のため、着用者がナプキン１を下着Ｓに貼り付けて下着Ｓを引き上げる際に、フラップ部２０が内側に倒れてしまうことを防止でき、スムーズに装着できる。
【００８１】
ただし、フラップ部２０が内側接着剤５，５Ａを有していなくてもよい。その場合、フラップ部２０は下着Ｓよりも着用者の体に追従しやすく、着用者とナプキン１との間に隙間が生じにくくなる。
【００８２】
また、図２に示すように、ナプキン１は、長手方向における第１凸部２１の頂点２１ｃと第２凸部２２の頂点２２ｃの間において、幅方向の全域に亘り内側接着剤５が存在しない領域Ａ１を有している。そのため、着用者の股間部から臀部に沿ってナプキン１の領域Ａ１が立ち上がりやすく、領域Ａ１が着用者に密着しやすい。
【００８３】
また、ナプキン１は、前記領域Ａ１よりも後側であり、吸収性本体部１０の幅方向の中央部に、長手方向に沿って内側接着剤５が存在しない領域Ａ２を有している。そのため、着用者の臀部の割れ目にナプキン１の領域Ａ２が密着しやすい。
【００８４】
また、フラップ部２０の非肌側面に、吸収性本体部１０の非肌側面よりも摩擦係数が高い領域を設けるとよい。摩擦係数が高い領域は、少なくとも、フラップ部２０が下着Ｓの肌側面に当接する領域に設けるものとする。そうすることで、下着Ｓに対するフラップ部２０の位置がずれにくく、フラップ部２０の曲がり方向が切り替わる位置に凹部２３が配置された状態が維持される。
【００８５】
本実施形態のナプキン１では、図３に示すように、吸収性本体部１０の非肌側面を樹脂フィルム等のバックシート４とし、フラップ部２０の非肌側面をバックシート４よりも摩擦係数の高いシート６とする。具体的には、フラップ部２０では、非肌側面が凹凸賦形されたＳＭＳ不織布６が、バックシート４の非肌側面に貼り付けられている。
【００８６】
その他、フラップ部２０の吸収性コア２Ｂの坪量（ｇ／ｍ２）を変化させて、吸収性コア２Ｂに凹凸を形成したり、フラップ部２０の非肌側面にエンボス加工を施して凹凸を形成したりすることで、摩擦係数を高めてもよい。
【００８７】
摩擦係数（静摩擦係数）の測定方法は、周知の方法で行うとよい。例えば、吸収性本体部１０及びフラップ部２０からそれぞれサンプルを切り出し、各サンプルの非肌側面について、新東科学株式会社製のＨＥＩＤＯＮトライボギアμｓ（ミューズ）ＴＹＰＥ:９４ｉ等の測定器を用いて測定する方法を例示できる。
【００８８】
図７から図９は、フラップ部２０の凹部２３のへこみ具合を説明する図である。図７は本実施形態のナプキン１であり、図８及び図９は変形例のナプキン１である。
【００８９】
図７に示すように、ナプキン１は、第１折り線Ｆ１よりも長手方向の前側のナプキン１の部位において最も幅が広い幅広部１Ｂを有する。その幅広部１Ｂよりも、凹部２３の頂点２３ｃの方が、幅方向の外側に位置するとよい。
【００９０】
この場合、フラップ部２０の凹部２３がより確実に下着Ｓから延出するため、下着Ｓの側端をフラップ部２０で覆うことができ、排泄液による汚れを防止できる。また、下着Ｓから延出したフラップ前方部２０１及びフラップ後方部２０２の変形を凹部２３にて断ち切ることができる。
【００９１】
また、一般的な下着Ｓのクロッチの最狭幅は５０〜１００ｍｍである。下着Ｓの側端で折られるナプキン１の厚さを考慮すると（幅方向の片側で１０ｍｍ、両側で２０ｍｍ程度）、ナプキン１において７０ｍｍ〜１２０ｍｍよりも幅広の部分が下着Ｓから延出する。そこで、一対の凹部２３の頂点２３ｃ間長さ（図７〜図９のＷ３〜Ｗ５）を１１０ｍｍ〜１６０ｍｍにするとよい。
【００９２】
この場合、幅方向の片側において下着Ｓから延出するフラップ部２０の長さが２０ｍｍ程度となる。よって、排泄液の漏れを抑制でき、視覚的にも着用者に安心感を付与できる。また、フラップ部２０が下着Ｓから延出し過ぎることによる着け心地の低下を防止できる。一対の凹部２３の頂点２３ｃ間長さについて、具体的には、図７（Ｗ３）は１３５ｍｍ、図８（Ｗ４）は１１０ｍｍ、図９（Ｗ５）は１６０ｍｍである。
【００９３】
ここで、図７〜図９に示すように、ナプキン１において、第１折り線Ｆ１、及び、ナプキン１の幅方向の側縁１ａの交点１Ｄを通るとともに、長手方向に沿う仮想線を第１仮想線Ｌａとする。また、前記交点１Ｄと凹部２３の頂点２３ｃとを繋ぐ仮想線を第２仮想線Ｌｂとする。
【００９４】
そして、第１仮想線Ｌａと第２仮想線Ｌｂとの成す角度θを７度以上４５度以下にするとよい。より好ましくは角度θを１５度以上３５度以下にするとよい。具体的には、図７の角度θは２１度であり、図８の角度θは７度であり、図９の角度θは４５度である。
【００９５】
仮に、角度θが７度よりも小さいと、図８のナプキン１よりも凹部２３がへこみ、一対の凹部２３の頂点２３ｃ間長さが短くなるため、下着Ｓから延出するフラップ部２０の長さが短くなってしまう。また、一対の凹部２３の頂点２３ｃ間長さを長くするために、第２仮想線Ｌｂ上の後側に凹部２３をずらすと、フラップ部２０の曲がり方向が切り替わる位置から凹部２３がずれてしまう。
【００９６】
逆に、角度θが４５度よりも大きいと、フラップ部２０全体の幅が図９のナプキン１よりも広くなり、フラップ部２０が下着Ｓから延出し過ぎてしまう。また、一対の凹部２３の頂点２３ｃ間長さを短くするために、第２仮想線Ｌｂ上の前側に凹部２３をずらすと、フラップ部２０の曲がり方向が切り替わる位置から凹部２３がずれてしまう。また、フラップ前方部２０１が小さくなり過ぎてしまう。
【００９７】
つまり、角度θを７度以上４５度以下にすることで、下着Ｓから延出するフラップ部２０の幅を適当な長さ（２０ｍｍ程度）にしつつ、フラップ部２０の曲がり方向が切り替わる位置に凹部２３を配置できる。
【００９８】
また、フラップ前方部２０１は着用者の太腿に挟まれる。そのため、太腿の肉のせり出しによって、フラップ前方部２０１が下着Ｓの非肌側面に折り返される方向付け（図４及び図５の矢印Ｃ１）が生じることがある。その状態で、着用者がパンツタイプのアウター等を着用すると、フラップ部２０が下着Ｓの非肌側面に折り返されるおそれがある。
【００９９】
一方、フラップ後方部２０２には、着用者の臀部に沿って長手方向の後側上方への引き上げ力が生じる（図５の矢印Ｃ２）。そこで、上記の角度θを７度以上にして、凹部２３をへこませ過ぎないようにするとよい。
【０１００】
そうすることで、フラップ後方部２０２の引き上げ力（矢印Ｃ２）をフラップ前方部２０１に伝達でき、フラップ前方部２０１が折り返される力に対する抗力（図５の矢印Ｃ３）が、フラップ前方部２０１に作用する。つまり、フラップ前方部２０１は、フラップ後方部２０２によって、幅方向の外側、かつ、長手方向の後側上方へ引っ張られ、着用者の脚に沿うことができる。
【０１０１】
図１０は、フラップ後方部２０２からフラップ前方部２０１への力の働きを説明する図である。図１０には、前述の第１仮想線Ｌａ及び第２仮想線Ｌｂに加えて、凹部２３の頂点２３ｃを通るとともに幅方向に沿う第３仮想線Ｌｃを示す。
【０１０２】
フラップ後方部２０２がフラップ前方部２０１を引っ張る力（矢印Ｃ３）は、第２凸部２２の長手方向前側の側縁部に沿って強く伝達される。具体的には、第２凸部２２の長手方向前側の端点２２ａにおける第２凸部２２（円弧２２ａ〜２２ｂ）に対する接線Ｌｄに沿って強く伝達される。
【０１０３】
また、フラップ前方部２０１のうち、第１仮想線Ｌａと第３仮想線Ｌｃとナプキン１の幅方向の側縁１ａとで囲われる領域Ｄ１が、主に下着Ｓから延出する部位となる。
【０１０４】
そこで、図１０に示すように、第２凸部２２の前側の端点２２ａにおける接線Ｌｄが、フラップ前方部２０１の領域Ｄ１を通過するようにするとよい。そうすることで、フラップ前方部２０１が折り返される力に対する抗力（矢印Ｃ３）を、フラップ前方部２０１に作用させることができる。その結果、フラップ前方部２０１を着用者の脚に沿わせることができる。
【０１０５】
ただし、下着Ｓから延出する領域Ｄ１の先端部、具体的には、第２仮想線Ｌｂとナプキン１の側縁１ａとで囲われる先端領域Ｄ２に、フラップ後方部２０２からの力が強く作用すると、先端領域Ｄ２がよれてしまうおそれがある。
【０１０６】
そこで、より好ましくは、図１０に示すように、第２凸部２２の前側の端点２２ａにおける接線Ｌｄが、先端領域Ｄ２を通過しないようにするとよい。そうすることで、フラップ前方部２０１における先端領域Ｄ２がよれることなく、着用者の脚に沿うことができる。
【０１０７】
つまり、下着Ｓから延出する領域Ｄ１の根元部分（第１仮想線Ｌａと第２仮想線Ｌｂと第３仮想線Ｌｃとで囲われる領域Ｄ３）を、接線Ｌｄが通過し、領域Ｄ１の根元部分（領域Ｄ３）に、フラップ後方部２０２からの力が作用するようにするとよい。そのように、第２凸部２２の長手方向前側の側縁部の傾斜を調整するとよい。
【０１０８】
なお、第２凸部２２が略台形形状等であり、第２凸部２２の長手方向前側の端点２２ａを通る側縁部が直線である場合、その直線を接線Ｌｄとする。
【０１０９】
＝＝＝第２実施形態＝＝＝
図１１Ａから図１１Ｃは、第２実施形態におけるナプキン１の説明図である。第１実施形態のナプキン１と第２実施形態のナプキン１とでは、フラップ前方部２０１及びフラップ後方部２０２の変形が相互に伝達されることを抑止する抑止部が異なる。
【０１１０】
ただし、第１実施形態の凹部２３と同様に、第２実施形態の抑止部３０〜３２も、フラップ部２０の側縁部であり、長手方向においてフラップ部２０の曲がり方向が切り替わる位置に設けられている。また、フラップ部２０が吸収性コア２Ｂを有する場合、第２実施形態の抑止部３０〜３２において吸収性コア２は非存在とする。
【０１１１】
図１１Ａに示す抑止部３０は、フラップ部２０の側縁２０ａから幅方向の内側に向かって延びた破断線３０である。破断線３０とは、多数の穴部（シートが厚さ方向に凹んだ部位、又は、貫通した部位）が間隔を空けて並んだものや、連続した穴部（溝）である。
【０１１２】
図１１Ｂに示す抑止部３１は、フラップ部２０の側縁２０ａから幅方向の内側に向かって延びた切込み３１である。
【０１１３】
図１１Ａの場合、ナプキン１の装着時に破断線３０が破断し、破断線３０において、フラップ前方部２０１及びフラップ後方部２０２の変形が断ち切られる。また、図１１Ｂの場合、切込み３１において、フラップ前方部２０１及びフラップ後方部２０２の変形が断ち切られる。よって、フラップ前方部２０１及びフラップ後方部２０２の曲がり方向が切り替わる位置においてフラップ部２０がよれて隙間が生じてしまうことを防止でき、排泄液の漏れを抑制できる。
【０１１４】
図１１Ｃに示す抑止部３２は、幅方向の内側に凸となるようにトップシート３及びバックシート４が切欠かれた部分に配された伸縮性シート３２である。伸縮性シート３２は少なくとも長手方向に伸縮するものとする。この場合、フラップ前方部２０１及びフラップ後方部２０２の曲がり方向が切り替わる位置において、伸縮性シート３２が伸長し、フラップ部２０が着用者の体に追従する。そのため、隙間の発生を防止でき、排泄液の漏れを抑制できる。
【０１１５】
なお、伸縮性シート３２としては、ポリウレタン系エラストマー等の略弾性を示すエラストマー繊維とポリオレフィン系樹脂等の略非弾性を示す熱可塑性樹脂繊維とを有した不織布に対して所謂ギア延伸加工を施して伸縮性が発現した不織布や、ゴム系樹脂などのエラストマー材料を含む伸縮性フィルム等を例示できる。
【０１１６】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１１７】
１  生理用ナプキン（吸収性物品）、１Ｃ  第２凹部、
２  吸収性コア、３  トップシート、４  バックシート、
５  内側接着剤（別の接着剤）、６  摩擦シート、
１０  吸収性本体部、
２０  フラップ部、
２１  第１凸部、２２  第２凸部、２３  凹部（抑止部）、
３０  破断線（抑止部）、３１  切込み（抑止部）、
３２  伸縮性シート（抑止部）、
Ｌａ  第１仮想線、Ｌｂ  第２仮想線、
Ｌｃ  第３仮想線、Ｌｄ  接線、
Ｆ１〜Ｆ３  折り線、Ｓ  下着、
【図１】
2019026176.tif 000003
【図２】
2019026176.tif 000004
【図３】
2019026176.tif 000005
【図４】
2019026176.tif 000006
【図５】
2019026176.tif 000007
【図６】
2019026176.tif 000008
【図７】
2019026176.tif 000009
【図８】
2019026176.tif 000010
【図９】
2019026176.tif 000011
【図１０】
2019026176.tif 000012
【図１１】
2019026176.tif 000013
【国際調査報告】
2019026176.tif 000014
2019026176.tif 000015
2019026176.tif 000016
2019026176.tif 000017